(57)【特許請求の範囲】
【請求項１】
平板状のランプ部と、国際電気標準会議（ＩＥＣ）規格のＧＸ５３形式口金を有するＧＸ５３ソケット部と、を有する、ＧＸ５３型ランプと、
前記ＧＸ５３型ランプを設置面に取り付けるための、一対の段差部を有するアダプタと、
前記ランプ部と面一になる位置よりも、前記設置面に対し反対側に位置し、前記ランプ部の照明光をその中空部から取り入れて面発光する、前記中空部を有する平板形状の面発光部と、
前記一対の段差部の段差面に置かれる一対の突出部を有する外枠部と、
前記面発光部と前記外枠部とを連絡し、前記面発光部を支持するアーム部と、を有する、
ことを特徴とする照明器具。
【請求項２】
前記ランプ部は薄型の円盤形状であり、
前記面発光部は、前記中空部に、前記円盤形状のランプ部が収まる大きさのドーナツ型形状である、
ことを特徴とする請求項１記載の照明器具。
【請求項３】
前記面発光部は、前記中空部から入射した照明光を反射乃至拡散させるための凹凸が表面に施されたアクリル樹脂で形成された導光板である、
ことを特徴とする請求項１又は２記載の照明器具。
【請求項４】
前記面発光部は、透明乃至半透明の高分子樹脂で形成されている、
ことを特徴とする請求項１又は２記載の照明器具。
【請求項５】
前記ランプ部の下端面は、前記面発光部の上端面と前記面発光部の下端面との間に位置する、
ことを特徴とする請求項１乃至４のいずれか１項に記載の照明器具。
【請求項６】
前記ランプ部の下面に、前記ランプ部の照明光の照度を低減させる、照明カバーを有する、
ことを特徴とする請求項１乃至５のいずれか１項に記載の照明器具。
【請求項７】
前記アダプタに、電気配線を配置する配線溝を有する、
ことを特徴とする請求項１乃至６のいずれか１項に記載の照明器具。
【請求項８】
前記設置面は、天井面、壁面、若しくは、床面のいずれかである、
ことを特徴とする請求項１乃至７の何れか１項に記載の照明器具。
【発明の詳細な説明】
【技術分野】
【０００１】
本発明は、照明器具に関する。より詳しくは、ＩＥＣ（国際電気標準会議）で規格化されたＧＸ５３形式口金を有するＧＸ５３型蛍光ランプを用いる照明器具に関する。
【背景技術】
【０００２】
物理上設置が困難とされる狭い空間等にて、灯りをとるための薄型の照明器具として、インバータを内蔵させた薄型の蛍光ランプがある。
【０００３】
このような薄型の蛍光ランプとして、ＩＥＣ規格のＧＸ５３形式口金を使用するものがある。
【０００４】
ＧＸ５３形式口金は厚みが約２０ｍｍ程度であり、狭い空間等を照らすための照明器具に使用する口金形式として最適である。
【０００５】
特許文献１や特許文献２には、そのようなＧＸ５３形式口金を有するＧＸ５３型の照明器具が記載されている。
【０００６】
しかし、これらの文献に記載された照明器具は、設置された空間全体をまんべんなく明るく照らすには照度が不十分である。
【特許文献１】特開２００７−１８００１１号公報
【特許文献２】特開２００７−１５７６９０号公報
【発明の開示】
【発明が解決しようとする課題】
【０００７】
本発明は上述の問題に鑑みてなされたものであり、設置された空間全体をまんべんなく明るく照らすことができる、ＧＸ５３型蛍光ランプを用いる照明器具を提供することを目的とする。また、照度が高いＧＸ５３型蛍光ランプ対応の照明器具を提供することを目的とする。
【課題を解決するための手段】
【０００８】
上記目的を達成するため、この発明の照明器具は、
平板状のランプ部と、国際電気標準会議（ＩＥＣ）規格のＧＸ５３形式口金を有するＧＸ５３ソケット部と、を有する、ＧＸ５３型ランプと、
前記ＧＸ５３型ランプを設置面に取り付けるための、一対の段差部を有するアダプタと、
前記ランプ部と面一になる位置よりも、前記設置面に対し反対側に位置し、前記ランプ部の照明光をその中空部から取り入れて面発光する、前記中空部を有する平板形状の面発光部と、
前記一対の段差部の段差面に置かれる一対の突出部を有する外枠部と、
前記面発光部と前記外枠部とを連絡し、前記面発光部を支持するアーム部と、を有する、ことを特徴とする。
【発明の効果】
【０００９】
本発明に係る照明器具は、面発光部が明るく発光し、照度が高い。
【発明を実施するための最良の形態】
【００１０】
（実施形態１）
図１に示すように、本実施形態に係る照明器具９００は、ＧＸ型蛍光ランプ１２０と、そのＧＸ５３型蛍光ランプ１２０を設置面３１０に取り付けるためのアダプタ１１０と、面発光部５００と、を有する。
【００１１】
ＧＸ５３型蛍光ランプ１２０は、平板状の蛍光ランプ部１２９と、ＩＥＣ規格のＧＸ５３形式口金を有するＧＸ５３ソケット部１２８と、を有する。
【００１２】
面発光部５００は、中空部５０１を有する平板形状である。
【００１３】
面発光部５００は、面発光部５００と蛍光ランプ部１２９とが面一になる位置よりも、設置面３１０に対し反対側（図面下側）に位置する。換言すれば、面発光部５００の下端面の位置Ｌｄは、蛍光ランプ部１２９の下端面の位置Ｓｄと同一水平面上にある位置よりも、設置面３１０に対し反対側（図面下側）に位置する。
【００１４】
仮に、面発光部５００が、面発光部５００と蛍光ランプ部１２９とが面一になる位置に設けられるならば、蛍光ランプ部１２９からの照明光を面発光部５００の中空部５０１から取り入れにくくなり、面発光部５００の発光が不十分となる。
しかしながら、本実施形態では、面発光部５００は、蛍光ランプ部１２９と面一になる位置よりも図面下側に位置するから、蛍光ランプ部１２９の照明光をその中空部５０１から適切に取り入れて均一に明るく面発光する。
【００１５】
（実施形態２）
蛍光ランプ部１２９は、図２及び図３に示されるように、薄型の円盤形状である。
【００１６】
蛍光ランプ部１２９は、照明器具９００を設置面と反対側から説明する図５に示されるように、シェード１３９で覆われた内部に配置される渦巻き状の発光管１３１を有する。
【００１７】
ＧＸ５３ソケット部１２８には、凸部１２２が設けられている。凸部１２２には点灯回路等が収納される。
【００１８】
アダプタ１１０の下面（設置面３１０とは反対方向の面）には凹部１１５が設けられており、凸部１２２が嵌め込まれる。
【００１９】
ＧＸ５３ソケット部１２８には、一対のピン電極１２１が設けられている。
【００２０】
アダプタ１１０の下面には、達磨孔形状の一対の係合孔部１１６が形成されている。
【００２１】
一対の係合孔部１１６の上部には、一対の接続金具１１４が設けられている。
【００２２】
設置面３１０の配線孔３３０からは配線３４０が引き出されている。配線３４０は接続金具１１４と電気的に接続される。
【００２３】
アダプタ１１０には、配線３４０を配置する配線溝１１２が形成されている。配線溝１１２は設置面３１０と平行に形成される。換言すれば、配線溝１１２は、円盤形状のアダプタ１１０に平行に形成される。そのため、その配線溝１１２内に適切に配線をすることができる。
【００２４】
ピン電極１２１は、係合孔部１１６に挿入され、回転係止される。これにより、ＧＸ５３型蛍光ランプ１２０はアダプタ１１０に取り付けられるとともに、ピン電極１２１は接続金具１１４と電気的に接続する。
【００２５】
アダプタ１１０の下面にはネジ孔１１３が形成されている。ネジ２１０はネジ孔１１３から挿入され、設置面３１０に設けられた設置面孔３２０に到達する。これにより、アダプタ１１０はネジ２１０で設置面３１０に固定される。設置面３１０は、例えば天井面である。
【００２６】
面発光部５００は、図３に示されるように、中空部５０１を有する略平板状のドーナツ型形状である。中空部５０１は、蛍光ランプ部１２９が収まる程度の大きさである。
【００２７】
アダプタ１１０には一対の段差部１１１が設けられている。
【００２８】
面発光部５００は、３本の柱状のアーム部５２０にて、外枠部５１０に取り付け固定されている。３本のアーム部５２０は、面発光部５００の円周上に均等に形成される。
【００２９】
外枠部５１０は略リング形状である。外枠部５１０は、リング形状の中心部方向に突出する一対の突出部５１１を有する。
【００３０】
図２、及び、照明器具９００を設置面側から説明する図４に示されるように、一対の段差部１１１の段差面上に一対の突出部５１１が置かれる。アダプタ１１０が設置面３１０に固定されることで、外枠部５１０も固定される。
【００３１】
また、図２に示されるように、蛍光ランプ部１２９の下端面Ｓｄは、面発光部５００の上端面Ｌｕと下端面Ｌｄとの間に位置する。このように構成することにより、蛍光ランプ部１２９の照明光が中空部５０１から適切に取り入れやすくなる。これにより、面発光部５００は、均一に明るく面発光する。
【００３２】
なお、面発光部５００は、蛍光ランプ部１２９と面一になる位置よりも下側に位置する必要があるものの、所定距離以上に蛍光ランプ部１２９から離間することは望ましくない。蛍光ランプ部１２９の照明光が中空部５０１から取り入れにくくなるからである。
【００３３】
本実施形態では、面発光部５００は、表面に、中空部５０１から入射した光りを反射乃至拡散させるための凹凸が施されたアクリル樹脂で形成された導光板である。
【００３４】
面発光部５００の表面の凹凸の形成方法は、アクリル板に白色インクで反射ドットを印刷する印刷方式、スタンパーヤインジェクションでアクリル板の表面に凹凸を形成する成型方式、アクリル板と反射板をドット状の粘着材で貼り付けた粘着ドット方式等、いずれの手法でもかまわない。
【００３５】
導光板を用いることで、面発光部５００を全体的に明るく発光させることができる。
【００３６】
（実施形態３）
本実施形態に係る照明器具９００では、図６に示されるように、薄型の円盤形状の照明カバー４１０が設けられている。
【００３７】
面発光部５００の下面には、３本の下部アーム部５２１が設けられている。下部アーム部５２１は、それぞれ、３本の同心円上に形成されたアーム部５２０と同一軸心上に設けられている。
【００３８】
照明カバー４１０は、下部アーム部５２１の下端に取り付け固定される。
【００３９】
照明カバー４１０は白色の硬質樹脂で形成されており、蛍光ランプ部１２９の照明光の照度を低減させて照明光を柔らかくする。
【００４０】
これにより、蛍光ランプ部１２９の照明光を直視したとしても目を痛めにくくなるし、また、照明光を柔らかくすることにより演色性を高めることができる。
【００４１】
また、照明カバー４１０は、照明光を柔らかくするのみならず、仮に照明器具９００に衝撃が加えられて蛍光ランプ部１２９が破損したとしても、破片の飛散を照明カバー４１０で遮る役割を有する。
【００４２】
さらに、照明カバー４１０は、蛍光ランプ部１２９からの照明光を反射させて設置面にその反射光を照射する、リフレクタとして使用することも可能である。かかる場合は照明カバー４１０の表面を照明光を反射させやすくするために、光沢性を有する材質にしておくことが望ましい。
【００４３】
（実施形態４）
上述の実施形態では、面発光部５００は導光板であった。もっともこのような実施形態に限定されることはなく、面発光部５００は、透明乃至半透明の高分子樹脂で形成されることも可能である。
【００４４】
透明乃至半透明の高分子樹脂としては、ポリスチレン樹脂、ポリプロピレン樹脂等を使用することができる。
【００４５】
また、透明乃至半透明の高分子樹脂には色彩が付されていても良い。色彩を付すことにより照明器具の演色性を高めることができる。
【００４６】
（その他の実施形態）
上述の実施形態では、設置面３１０は天井面であった。もっとも、このような実施形態に限定されることはない。照明器具９００は、壁面や床面等の設置面３１０にも設置できる。壁面や床面等に設置することにより、室内空間等を明るく照らしながら、演色性を向上させることができる。
【００４７】
本実施形態に係る照明器具９００は、ＧＸ５３型蛍光ランプを用いるものであるが、ＧＸ５３型蛍光ランプを用いる照明器具に限定されず、あらゆる薄型の蛍光ランプにおいても使用することが可能である。
【図面の簡単な説明】
【００４８】
【図１】実施形態１に係る照明器具を説明する図である。
【図２】実施形態２に係る照明器具を説明する図であり、配線の状態が示される図である。
【図３】実施形態２に係る照明器具を説明する図であり、各部品を詳細に説明する図である。
【図４】実施形態２に係る照明器具を上面から説明する図である。
【図５】実施形態２に係る照明器具を下面から説明する図である。
【図６】実施形態３に係る照明器具を説明する図であり、照明カバーが形成されている図である。
【符号の説明】
【００４９】
１１０    アダプタ
１１１    段差部
１１２    配線溝
１１３    ネジ孔
１１４    接続金具
１１５    凹部
１１６    係合孔部
１２０    ＧＸ５３型蛍光ランプ
１２１    ピン電極
１２２    凸部
１２８    ＧＸ５３ソケット部
１２９    蛍光ランプ部
１３１    発光管
１３９    シェード
２１０    ネジ
３１０    設置面
３２０    設置面孔
３３０    配線孔
３４０    配線
４１０    照明カバー
５００    面発光部
５０１    中空部
５１０    外枠部
５１１    突出部
５２０    アーム部
９００    照明器具
【図１】
0005339405.tif 000002
【図２】
0005339405.tif 000003
【図３】
0005339405.tif 000004
【図４】
0005339405.tif 000005
【図５】
0005339405.tif 000006
【図６】
0005339405.tif 000007